(57)【特許請求の範囲】
【請求項１】
液滴を吐出する複数のノズルと、前記ノズルが通じる個別液室と、前記個別液室内の液体を加圧する圧力を発生する圧力発生手段と、を有する液体吐出ヘッドと、
１駆動周期内で複数の駆動パルスを時系列で含む共通駆動波形を生成し、前記共通駆動波形から１又は２以上の前記駆動パルスの全部又は一部を選択して前記圧力発生手段に与えるヘッド駆動制御手段と、を備え、
前記共通駆動波形は、少なくとも、時系列で、先頭に滴量調整波形が配置され、最後に液滴を吐出させる吐出パルスが配置され、
前記滴量調整波形は、前回の駆動周期の前記吐出パルスで前記ノズルから液滴を吐出させるときの液柱の後端部を引きちぎる波形であり、
前記１駆動周期において、前記吐出パルスを選択する周期では前記滴量調整波形が選択され、
前記１駆動周期において、前記吐出パルスを選択しない周期では前記滴量調整波形が選択されない
ことを特徴とする画像形成装置。
【請求項２】
前記滴量調整波形の開始時刻と、前回の駆動周期の前記吐出パルスの終了時刻との時間差が、前記個別液室内の固有振動周期以下である
ことを特徴とする請求項１に記載の液体吐出ヘッド。
【請求項３】
前記滴量調整波形は、液滴が吐出しない程度に前記個別液室を膨張させてから収縮させる波形である
ことを特徴とする請求項１又は２に記載の液体吐出ヘッド。
【請求項４】
前記滴量調整波形は、前記個別液室を膨張させる波形である
ことを特徴とする請求項１又は２に記載の液体吐出ヘッド。
【請求項５】
液滴を吐出する複数のノズルと、前記ノズルが通じる個別液室と、前記個別液室内の液体を加圧する圧力を発生する圧力発生手段と、を有する液体吐出ヘッドを駆動制御するヘッド駆動制御方法であって、
１駆動周期内で複数の駆動パルスを時系列で含む共通駆動波形を生成し、前記共通駆動波形から１又は２以上の前記駆動パルスの全部又は一部を選択して前記圧力発生手段に与え、
前記共通駆動波形は、少なくとも、時系列で、先頭に滴量調整波形が配置され、最後に液滴を吐出させる吐出パルスが配置され、
前記滴量調整波形は、前回の駆動周期の前記吐出パルスで前記ノズルから吐出される液柱の後端部を引きちぎる波形であり、
前記１駆動周期において、前記吐出パルスを選択する周期では前記滴量調整波形が選択され、
前記１駆動周期において、前記吐出パルスを選択しない周期では前記滴量調整波形が選択されない
ことを特徴とするヘッド駆動制御方法。
【発明の詳細な説明】
【技術分野】
【０００１】
本発明は画像形成装置及びヘッド駆動制御方法に関する。
【背景技術】
【０００２】
液滴を吐出する液体吐出ヘッドを使用して画像を形成するとき、滴吐出後の残留振動によって次の滴吐出時に滴曲がりやマージ不良、滴速度の変動など、画像不具合の原因となる現象が引き起こされることがある。特に、高周波駆動を行うためには、残留振動が減衰しきる前に次の滴を吐出しなければならない。
【０００３】
しかし、メニスカスに残留振動が残った状態で液滴を吐出するときと、メニスカスが静止した状態から液滴を吐出するときとでは、吐出滴の挙動が異なり、結果として、低周波駆動と高周波駆動で吐出滴の滴量が異なることになる。
【０００４】
そこで、低周波駆動時のミスト抑制と高周波駆動時の残留振動抑制を両立するため、低周波駆動用の駆動波形と高周波駆動用の駆動波形をあらかじめ用意しておいて、次の周期が吐出か非吐出かに応じて使い分ける構成が知られている（特許文献１）。
【先行技術文献】
【特許文献】
【０００５】
【特許文献１】特開２０１４−００４７０６号公報
【発明の概要】
【発明が解決しようとする課題】
【０００６】
しかしながら、特許文献１に開示されている構成にあっては、次の周期が吐出か非吐出かという画像情報に応じて駆動波形を選択しなければならず、信号線の増加や制御の複雑化を招くという課題がある。
【０００７】
本発明は上記の課題に鑑みてなされたものであり、簡単な構成で、高周波駆動と低周波駆動の滴量のバラツキを低減することを目的とする。
【課題を解決するための手段】
【０００８】
上記の課題を解決するため、本発明に係る画像形成装置は、
液滴を吐出する複数のノズルと、前記ノズルが通じる個別液室と、前記個別液室内の液体を加圧する圧力を発生する圧力発生手段と、を有する液体吐出ヘッドと、
１駆動周期内で複数の駆動パルスを時系列で含む共通駆動波形を生成し、前記共通駆動波形から１又は２以上の前記駆動パルスの全部又は一部を選択して前記圧力発生手段に与えるヘッド駆動制御手段と、を備え、
前記共通駆動波形は、少なくとも、時系列で、先頭に滴量調整波形が配置され、最後に液滴を吐出させる吐出パルスが配置され、
前記滴量調整波形は、前回の駆動周期の前記吐出パルスで前記ノズルから液滴を吐出させるときの液柱の後端部を引きちぎる波形であり、
前記１駆動周期において、前記吐出パルスを選択する周期では前記滴量調整波形が選択され、
前記１駆動周期において、前記吐出パルスを選択しない周期では前記滴量調整波形が選択されない
構成とした。
【０００９】
本発明によれば、簡単な構成で、高周波駆動と低周波駆動の滴量のバラツキを低減することができる。
【図面の簡単な説明】
【００１０】
【図１】本発明に係る画像形成装置の側面説明図である。
【図２】同じく要部平面説明図である。
【図３】同じく記録ヘッドを構成する液体吐出ヘッドの一例を示す液室長手方向の断面説明図である。
【図４】同じく滴吐出動作の説明に供する断面説明図である。
【図５】同じく制御部の概要を示すブロック説明図である。
【図６】同制御部の印刷制御部及びヘッドドライバの一例を示すブロック説明図である。
【図７】本発明の第１実施形態における共通駆動信号の説明に供する説明図である。
【図８】同実施形態における画像命令と選択信号との関係を説明する説明図である。
【図９】吐出パルスＰ３単独での吐出滴の滴量−周波数特性の一例の説明図である。
【図１０】実際の画像形成時のヘッドの駆動周波数と滴量の関係の説明図である。
【図１１】同実施形態の作用説明に供する共通駆動信号Ｖｃｏｍを選択信号で選択した駆動信号の異なる例を示す説明図である。
【図１２】滴量調整パルス及び吐出パルスでの吐出滴の滴量−周波数特性を説明する説明図である。
【図１３】本発明の第２実施形態における共通駆動信号の説明に供する説明図である。
【図１４】同実施形態における画像命令と選択信号との関係を説明する説明図である。
【図１５】同実施形態の作用説明に供する共通駆動信号Ｖｃｏｍを選択信号で選択した駆動信号の異なる例を示す説明図である。
【発明を実施するための形態】
【００１１】
以下、本発明の実施の形態について添付図面を参照して説明する。まず、本発明に係る画像形成装置の一例について図１及び図２を参照して説明する。図１は同画像形成装置の側面説明図、図２は同装置の要部平面説明図である。
【００１２】
この画像形成装置はシリアル型インクジェット記録装置である。装置本体１の左右の側板２１Ａ、２１Ｂに横架したガイド部材である主従のガイドロッド３１、３２でキャリッジ３３を主走査方向に摺動自在に保持している。そして、図示しない主走査モータによってタイミングベルトを介して図２で矢示方向（キャリッジ主走査方向）に移動走査する。
【００１３】
このキャリッジ３３には、イエロー（Ｙ）、シアン（Ｃ）、マゼンタ（Ｍ）、ブラック（Ｋ）の各色のインク滴を吐出する液体吐出ヘッドからなる記録ヘッド３４ａ、３４ｂ（区別しないときは「記録ヘッド３４」という。他の部材も同様）が搭載されている。各記録ヘッド３４は、複数のノズルからなるノズル列を主走査方向と直交する副走査方向に配列し、インク滴吐出方向を下方に向けて装着している。
【００１４】
記録ヘッド３４は、それぞれ２つのノズル列を有している。そして、記録ヘッド３４ａの一方のノズル列はブラック（Ｋ）の液滴を、他方のノズル列はシアン（Ｃ）の液滴を、それぞれ吐出する。また、記録ヘッド３４ｂの一方のノズル列はマゼンタ（Ｍ）の液滴を、他方のノズル列はイエロー（Ｙ）の液滴を、それぞれ吐出する。なお、記録ヘッド３４としては、１つのノズル面に複数のノズルを並べた各色のノズル列を備えるものなどを用いることもできる。
【００１５】
また、キャリッジ３３には、記録ヘッド３４のノズル列に対応して各色のインクを供給するための第２インク供給部としてのヘッドタンク３５ａ、３５ｂを搭載している。一方、カートリッジ装填部４には各色のインクカートリッジ（メインタンク）１０ｙ、１０ｍ、１０ｃ、１０ｋが着脱自在に装着される。そして、インクカートリッジ１０から供給ポンプユニット２４によって各色の供給チューブ３６を介して各ヘッドタンク３５に各色のインクが補充供給される。
【００１６】
一方、給紙トレイ２の用紙積載部（圧板）４１上に積載した用紙４２を給紙するための給紙部として、用紙積載部４１から用紙４２を１枚ずつ分離給送する半月コロ（給紙コロ）４３及び給紙コロ４３に対向する分離パッド４４を備えている。この分離パッド４４は給紙コロ４３側に付勢されている。
【００１７】
そして、この給紙部から給紙された用紙４２を記録ヘッド３４の下方側に送り込むために、用紙４２を案内するガイド部材４５と、カウンタローラ４６と、搬送ガイド部材４７と、先端加圧コロ４９を有する押さえ部材４８とを備える。そして、給送された用紙４２を静電吸着して記録ヘッド３４に対向する位置で搬送するための搬送手段である搬送ベルト５１を備えている。
【００１８】
この搬送ベルト５１は、無端状ベルトであり、搬送ローラ５２とテンションローラ５３との間に掛け渡されて、ベルト搬送方向（副走査方向）に周回するように構成している。また、この搬送ベルト５１の表面を帯電させるための帯電手段である帯電ローラ５６を備えている。この帯電ローラ５６は、搬送ベルト５１の表層に接触し、搬送ベルト５１の回動に従動して回転するように配置されている。この搬送ベルト５１は、図示しない副走査モータによってタイミングを介して搬送ローラ５２が回転駆動されることによって図２のベルト搬送方向に周回移動する。
【００１９】
さらに、記録ヘッド３４で記録された用紙４２を排紙するための排紙部として、搬送ベルト５１から用紙４２を分離するための分離爪６１と、排紙ローラ６２及び排紙コロである拍車６３とを備え、排紙ローラ６２の下方に排紙トレイ３を備えている。
【００２０】
また、装置本体１の背面部には両面ユニット７１が着脱自在に装着されている。この両面ユニット７１は搬送ベルト５１の逆方向回転で戻される用紙４２を取り込んで反転させて、再度、カウンタローラ４６と搬送ベルト５１との間に給紙する。また、この両面ユニット７１の上面は手差しトレイ７２としている。
【００２１】
さらに、キャリッジ３３の走査方向一方側の非印字領域には、記録ヘッド３４のノズルの状態を維持し、回復するための維持回復機構８１を配置している。
【００２２】
この維持回復機構８１には、記録ヘッド３４の各ノズル面をキャピングするためのキャップ８２ａ、８２ｂ（区別しないときは「キャップ８２」という。）と、ノズル面をワイピングするためのワイパ部材（ワイパブレード）８３を備えている。
【００２３】
また、維持回復機構８１は、増粘した記録液を排出するために記録に寄与しない液滴を吐出させる空吐出を行うときの液滴を受ける空吐出受け８４と、キャリッジ３３をロックするキャリッジロック８７を備えている。
【００２４】
また、このヘッドの維持回復機構８１の下方側には維持回復動作によって生じる廃液を収容するための廃液タンク１００が装置本体に対して交換可能に装着される。
【００２５】
また、キャリッジ３３の走査方向他方側の非印字領域には、記録中などに増粘した記録液を排出するために記録に寄与しない液滴を吐出させる空吐出を行うときの液滴を受ける空吐出受け８８を配置している。この空吐出受け８８には記録ヘッド３４のノズル列方向に沿った開口部８９などを備えている。
【００２６】
このように構成したこの画像形成装置においては、給紙トレイ２から用紙４２が１枚ずつ分離給紙されて搬送ベルト５１上に送られ、搬送ベルト５１の周回移動によって用紙４２が副走査方向に搬送される。
【００２７】
そこで、キャリッジ３３を移動させながら画像信号に応じて記録ヘッド３４を駆動することにより、停止している用紙４２にインク滴を吐出して１行分を記録し、用紙４２を所定量搬送後、次の行の記録を行う。記録終了信号又は用紙４２の後端が記録領域に到達した信号を受けることにより、記録動作を終了して、用紙４２を排紙トレイ３に排紙する。
【００２８】
次に、記録ヘッド３４を構成している液体吐出ヘッドの一例について図３及び図４を参照して説明する。図３及び図４は同ヘッドの液室長手方向（ノズル配列方向と直交する方向）に沿う断面説明図である。
【００２９】
この液体吐出ヘッドは、流路板１０１と、振動板部材１０２と、ノズル板１０３とを接合している。これにより、液滴を吐出するノズル１０４が貫通孔１０５を介して通じる個別液室１０６、個別液室１０６に液体を供給する流体抵抗部１０７、液体導入部１０８がそれぞれ形成される。そして、フレーム部材１１７に形成した共通液室１１０から振動板部材１０２に形成されたフィルタ部１０９を介してインクが液体導入部１０８に導入され、液体導入部１０８から流体抵抗部１０７を介して個別液室１０６にインクが供給される。なお、「個別液室」は、加圧室、加圧液室、圧力室、個別流路、圧力発生室などと称されるものを含む意味である。
【００３０】
流路板１０１は、ＳＵＳなどの金属板を積層して、貫通孔１０５、個別液室１０６、流体抵抗部１０７、液体導入部１０８などの開口部や溝部をそれぞれ形成している。振動板部材１０２は各液室１０６、流体抵抗部１０７、液体導入部１０８などの壁面を形成する壁面部材であるとともに、フィルタ部１０９を形成する部材である。なお、流路板１０１は、ＳＵＳなどの金属板に限らず、シリコン基板を異方性エッチングして形成することもできる。
【００３１】
そして、振動板部材１０２の液室１０６と反対側の面に個別液室１０６のインクを加圧してノズル１０４から液滴を吐出させるエネルギーを発生するアクチュエータ手段（圧力発生手段）としての柱状の積層型の圧電部材１１２が接合されている。この圧電部材１１２の一端部はベース部材１１３に接合され、また、圧電部材１１２には駆動波形を伝達するＦＰＣ１１５が接続されている。これらによって、圧電アクチュエータ１１１を構成している。
【００３２】
なお、この例では、圧電部材１１２は積層方向に伸縮させるｄ３３モードで使用しているが、積層方向と直交する方向に伸縮させるｄ３１モードでもよい。
【００３３】
このように構成した液体吐出ヘッドにおいては、例えば、図３に示すように、圧電部材１１２に印加する電圧を中間電位Ｖｏから下げることによって圧電部材１１２が収縮し、振動板部材１０２が変形して個別液室１０６の容積が膨張する。これにより、個別液室１０６内にインクが流入する。
【００３４】
その後、図４に示すように、圧電部材１１２に印加する電圧を上げて圧電部材１１２を積層方向に伸長させ、振動板部材１０２をノズル１０４方向に変形させて個別液室１０６の容積を収縮させる。これにより、個別液室１０６内のインクが加圧され、ノズル１０４から液滴３０１が吐出される。
【００３５】
そして、圧電部材１１２に印加する電圧を中間電位Ｖｏに戻すことによって振動板部材１０２が初期位置に復元し、液室１０６が膨張して負圧が発生するので、このとき、共通液室１１０から液室１０６内にインクが充填される。そこで、ノズル１０４のメニスカス面の振動が減衰して安定した後、次の液滴吐出のための動作に移行する。
【００３６】
次に、この画像形成装置の制御部の概要について図５を参照して説明する。図５は同制御部のブロック説明図である。
【００３７】
この制御部５００は、この装置全体の制御を司るＣＰＵ５０１と、ＣＰＵ５０１が実行するプログラムを含む各種プログラムなどの固定データを格納するＲＯＭ５０２と、画像データ等を一時格納するＲＡＭ５０３とを備えている。また、装置の電源が遮断されている間もデータを保持するための書き換え可能な不揮発性メモリ５０４と、画像データに対する各種信号処理、並び替え等を行う画像処理やその他装置全体を制御するための入出力信号を処理するＡＳＩＣ５０５とを備えている。
【００３８】
また、記録ヘッド３４を駆動制御するためのデータ転送手段、駆動信号発生手段を含む印刷制御部５０８と、キャリッジ３３側に設けた記録ヘッド３４を駆動するためのヘッドドライバ（ドライバＩＣ）５０９とを備えている。また、キャリッジ３３を移動走査する主走査モータ５５４、搬送ベルト５１を周回移動させる副走査モータ５５５、維持回復機構８１のキャップ８２やワイパ部材８３の移動、吸引ポンプ８１２などを行なう維持回復モータ５５６を駆動するためのモータ駆動部５１０とを備えている。また、帯電ローラ５６にＡＣバイアスを供給するＡＣバイアス供給部５１１と、送液ポンプ２４１を駆動する供給系駆動部５１２などを備えている。
【００３９】
また、この制御部５００には、この装置に必要な情報の入力及び表示を行うための操作パネル５１４が接続されている。
【００４０】
この制御部５００は、ホスト側とのデータ、信号の送受を行うためのＩ／Ｆ５０６を持っていて、パーソナルコンピュータ等の情報処理装置、画像読み取り装置、撮像装置などのホスト６００側から、ケーブル或いはネットワークを介してＩ／Ｆ５０６で受信する。
【００４１】
そして、制御部５００のＣＰＵ５０１は、Ｉ／Ｆ５０６に含まれる受信バッファ内の印刷データを読み出して解析し、ＡＳＩＣ５０５にて必要な画像処理、データの並び替え処理等を行い、この画像データを印刷制御部５０８からヘッドドライバ５０９に転送する。なお、画像を出力するためドットパターンデータの生成はホスト６００側のプリンタドライバ６０１で行なうことも、制御部５００で行なうこともできる。
【００４２】
印刷制御部５０８は、上述した画像データをシリアルデータで転送するとともに、この画像データの転送及び転送の確定などに必要な転送クロックやラッチ信号、制御信号などをヘッドドライバ５０９に出力する。また、ＲＯＭ５０２に格納されている駆動パルスのパターンデータをＤ／Ａ変換するＤ／Ａ変換器及び電圧増幅器、電流増幅器等で構成される駆動信号生成部を含む。そして、１の駆動パルス或いは複数の駆動パルスで構成される駆動波形を生成してヘッドドライバ５０９に対して出力する。
【００４３】
ヘッドドライバ５０９は、シリアルに入力される記録ヘッド３４の１行分に相当する画像データに基づいて印刷制御部５０８から与えられる駆動波形を構成する駆動パルスを選択して記録ヘッド３４の圧力発生手段としての圧電部材１１２に対して与える。これにより、記録ヘッド３４を駆動する。
【００４４】
このとき、駆動波形を構成する１又は２以上の駆動パルスの全部又は一部（駆動パルスを形成する波形用要素の一部）を選択する。これにより、例えば、大滴、中滴、小滴など、大きさの異なるドットを打ち分けることができる。
【００４５】
Ｉ／Ｏ部５１３は、装置に装着されている各種のセンサ群５１５からの情報を取得し、プリンタの制御に必要な情報を抽出し、印刷制御部５０８やモータ駆動部５１０、ＡＣバイアス供給部５１１の制御に使用する。センサ群５１５は、用紙の位置を検出するための光学センサや、機内の温度を監視するためのサーミスタ、帯電ベルトの電圧を監視するセンサ、カバーの開閉を検出するためのインターロックスイッチなどがある。Ｉ／Ｏ部５１３は様々のセンサ情報を処理することができる。
【００４６】
次に、ヘッド駆動制御手段を構成している印刷制御部５０８及びヘッドドライバ５０９の一例について図６のブロック説明図を参照して説明する。
【００４７】
印刷制御部５０８は、駆動波形生成部７０１と、データ転送部７０２とを備えている。駆動波形生成部７０１は、画像形成時に１印刷周期（１駆動周期）内に複数の駆動パルスで構成される共通駆動波形（以下、「共通駆動信号」という。）Ｖｃｏｍを生成して出力する。データ転送部７０２は、印刷画像に応じた２ビットの画像データ（階調信号０、１）と、クロック信号、ラッチ信号（ＬＡＴ）、滴制御信号である選択信号０〜３を出力する。
【００４８】
なお、選択信号０〜３は、ヘッドドライバ５０９のスイッチ手段であるアナログスイッチ７１５の開閉を滴毎に指示する２ビットの信号である。そして、選択信号１〜４は、後述する最終吐出パルスと残留振動抑制波形との間で切り替わり、選択時にはＬレベル（「０」）に状態遷移し、非選択時にはＨレベル（「１」）に状態遷移する。
【００４９】
ヘッドドライバ５０９は、データ転送部７０２からの転送クロック（シフトクロック）及びシリアル画像データ（階調データ：２ビット／１チャンネル（１ノズル）を入力するシフトレジスタ７１１を備えている。また、ヘッドドライバ５０９は、シフトレジスタ７１１の各レジスト値をラッチ信号によってラッチするためのラッチ回路７１２と、階調データと滴制御信号Ｍ０〜Ｍ３をデコードして結果を出力するデコーダ７１３とを備えている。
【００５０】
また、ヘッドドライバ５０９は、デコーダ７１３のロジックレベル電圧信号をアナログスイッチ７１５が動作可能なレベルへとレベル変換するレベルシフタ７１４と、レベルシフタ７１４を介して与えられるデコーダ７１３の出力でオン／オフ（開閉）されるアナログスイッチ７１５を備えている。
【００５１】
このアナログスイッチ７１５は、各圧電部材１１２の選択電極（個別電極）に接続され、駆動波形生成部７０１からの共通駆動信号Ｖｃｏｍが入力されている。したがって、シリアル転送された画像データ（階調データ）と選択信号１〜４をデコーダ７１３でデコードした結果に応じてアナログスイッチ７１５がオンにする。これにより、共通駆動信号Ｖｃｏｍを構成する所要の駆動パルス（あるいは波形要素）が通過して（選択されて）圧電部材１１２に与えられる。
【００５２】
なお、駆動パルスとは共通駆動波形（共通駆動信号）を構成する要素としてのパルスを示す用語として、吐出パルスとは圧力発生手段に印加されることで液滴を吐出させる駆動パルスを示す用語として使用する。また、非吐出パルス（微駆動パルス）とは圧力発生手段に印加されるが滴を吐出させない（ノズル内のインクを流動させる）パルスを示す用語として使用する。また、以下で説明するパルスは一例であって、これに限るものではない。
【００５３】
次に、本発明の第１実施形態について図７を参照して説明する。図７は同実施形態における共通駆動信号の説明に供する説明図である。
【００５４】
本実施形態の共通駆動信号Ｖｃｏｍは、時系列で、滴量調整波形である滴量調整パルスＰ１、微駆動パルスＰ２、吐出パルスＰ３を含んでいる。
【００５５】
滴量調整パルスＰ１は、時系列で、共通駆動信号Ｖｃｏｍの先頭に配置されている。滴量調整パルスＰ１は、前回の駆動周期（印刷周期）、すなわち、一つ前の周期において、吐出パルスＰ３でノズルから液滴を吐出させるときの液柱の後端部を引きちぎる波形である。吐出パルスＰ３でノズルから液滴を吐出させるときの液柱の後端部を引きちぎることで、当該吐出パルスＰ３によって吐出される液滴の滴量を変化（調整）することができる。
【００５６】
微駆動パルスＰ２は、液滴が吐出しない程度にメニスカスを攪拌する（振動させる）駆動パルスである。
【００５７】
吐出パルスＰ３は、液滴を吐出させる駆動パルスであり、時系列で、共通駆動信号Ｖｃｏｍの最後に配置されている。
【００５８】
ここで、滴量調整パルスＰ１、微駆動パルスＰ２、吐出パルスＰ３は、基本的波形要素として、基準電位Ｖｏから立ち下がって個別液室１０６の容積を膨張させる膨張波形要素（引き込み波形要素）ａと、膨張波形要素ａで膨張された状態を保持する保持波形要素ｂと、保持波形要素ｂで保持された状態から個別液室１０６の容積を収縮させる収縮波形要素（押し込み波形要素）ｃとを含んでいる。
【００５９】
そして、液量調整パルスＰ１は、一つ前の周期の吐出パルスＰ３によって吐出される液滴がまだノズルと液柱の状態で繋がっている途中で、膨張波形要素ａによって個別液室１０６を膨張させることにより、液柱を引きちぎり、吐出パルスＰ３による吐出滴の滴量を減少させる。
【００６０】
次に、本実施形態における選択信号について図８を参照して説明する。図８は画像命令と選択信号との関係を説明する説明図である。
【００６１】
画像命令が「印字」のとき（液滴を吐出させるとき）には、選択信号は、滴量調整パルスＰ１と吐出パルスＰ３をＯＮ（選択）とし、微駆動パルスＰ２をＯＦＦ（非選択）とする。
【００６２】
すなわち、圧力発生手段に共通駆動信号Ｖｃｏｍのうちの滴量調整パルスＰ１と吐出パルスＰ３が与えられ、微駆動パルスＰ２は与えられない。
【００６３】
一方、画像命令が「非印字」のとき（液滴を吐出させないとき）には、選択信号は、微駆動パルスＰ２のみＯＮ（選択）とし、滴量調整パルスＰ１と吐出パルスＰ３をＯＦＦ（非選択）とする。
【００６４】
すなわち、圧力発生手段に共通駆動信号Ｖｃｏｍのうちの微駆動パルスＰ２のみが与えられ、滴量調整パルスＰ１と吐出パルスＰ３はいずれも与えられない。
【００６５】
このように、吐出パルスＰ３を選択する周期（駆動周期、印刷周期）では滴量調整波形（滴量調整パルスＰ１）が選択され、吐出パルスＰ３を選択しない周期（駆動周期、印刷周期）では滴量調整波形（滴量調整パルスＰ１）が選択されない構成としている。
【００６６】
なお、ここでは、画像命令は、「印字」と「非印字」の２つしかないが、「印字」は大ドット、中ドット、小ドットというように複数種類とすることもできる。
【００６７】
次に、吐出パルスＰ３単独での吐出滴の滴量と駆動周波数の関係について図９を参照して説明する。
【００６８】
吐出パルスＰ３単独で液滴を吐出させる場合、駆動周波数が高い領域、即ち、吐出周期（吐出周期）が短い領域では、一つ前の周期の吐出後の残留振動が残った状態で次の滴が吐出されるので、吐出滴の滴量が滴量Ｂのように大きくなる。
【００６９】
これに対し、一つ前の周期の残留振動が残っていない吐出周期の領域では、残留振動との重畳がないので、吐出滴の滴量は滴量Ａ（Ａ＜Ｂ）でほぼ同じになる。
【００７０】
このように、一つ前の周期の残留振動が残っている駆動周波数と、一つ前の周期の残留振動が残っていない駆動周波数とでは、吐出滴の滴量が変化してしまう（ばらつく）ことになる。
【００７１】
次に、画像形成時のヘッド駆動周波数と吐出滴の滴量の関係について図１０を参照して説明する。
【００７２】
実際に画像形成を行うときヘッドの駆動周波数は、印字モードの駆動周波数とその約数となるため、図１０に示すように、最大周波数駆動時と間引き駆動時とでは滴量が変化し、最大周波数駆動時だけ大きくなる。
【００７３】
次に、本実施形態の作用について図１１及び図１２を参照して説明する。図１１は共通駆動信号Ｖｃｏｍを図８に示す選択信号で選択した駆動信号の異なる例を示す説明図、図１２は滴量調整パルスＰ１及び吐出パルスＰ３での吐出滴の滴量と駆動周波数の関係を説明する説明図である。
【００７４】
まず、図１１（ａ）は、周期Ｔ１〜Ｔ４において、画像命令が、「非印字」（周期Ｔ１）、「印字」（周期Ｔ２）、「非印字」（周期Ｔ３）、「非印字」（周期Ｔ４）の例であり、「印字」の周期Ｔ２に続く周期Ｔ３の画像命令が「非印字」の場合の例である。
【００７５】
この例では、周期Ｔ２に続く周期Ｔ３で滴量調整パルスＰ１が選択されないので、周期Ｔ２の吐出パルスＰ３で吐出される液滴の液柱が引きちぎられない。したがって、周期Ｔ２では吐出パルスＰ３単独で吐出される液滴でドットが形成される。
【００７６】
一方、図１１（ｂ）は、周期Ｔ１〜Ｔ４において、画像命令がいずれも「印字」の例である。
【００７７】
このように、次の周期に「印字」が続く場合には、吐出パルスＰ３が印加された直後に次の周期の滴量調整パルスＰ１が印加されることになる。
【００７８】
ここで、滴量調整パルスＰ１は、吐出パルスＰ３によって吐出される液滴がまだノズルと液柱の状態で繋がっている最中に印加され、液柱の後半を個別液室内部に引き込むことで、滴量を小さく調整するパルスである。
【００７９】
これにより、図１２に示すように、最大周波数駆動時の滴量Ｂが、滴量調整パルスＰ１によってほぼ滴量Ａまで減少する。これにより、駆動周波数によらず、滴量をほぼ一定とすることができる。
【００８０】
この場合、前後の印字命令のパターンに基づいて信号を選択する制御も必要なく、選択信号の本数を増やす必要もないため、制御や構成の複雑化に伴うコストアップを招くこともない。
【００８１】
このようにして、簡単な構成で、高周波駆動と低周波駆動の滴量のバラツキを低減することができる。
【００８２】
上述したように、滴量調整パルスＰ１は直前の周期（１つ前の周期）の吐出パルスＰ３によって吐出される液滴がまだノズルと液柱の状態で繋がっている状態のときに印加して、液柱を引きちぎることによって滴量を調整する。
【００８３】
したがって、直前の周期の吐出パルスＰ３の終了時刻から滴量調整パルスＰ１の開始時刻までのインターバル（時間差）はヘッドの固有振動周期（共振周期）Ｔｃ以内であることが好ましい。
【００８４】
次に、本発明の第２実施形態について図１３を参照して説明する。図１３は同実施形態における共通駆動信号の説明に供する説明図である。
【００８５】
本実施形態の共通駆動信号Ｖｃｏｍは、時系列で、滴量調整波形Ｐ１ａ、微駆動パルスＰ２、吐出パルスＰ３を含んでいる。
【００８６】
滴量調整波形Ｐ１ａは、基準電位Ｖｏから中間電位Ｖｅまで立ち下がって個別液室１０６の容積を膨張させる膨張波形要素である。
【００８７】
また、吐出パルスＰ３の膨張波形要素ａは中間電位Ｖｅから立ち下がる波形とし、収縮波形要素ｃは基準電位Ｖｏまで立ち上がる波形としている。
【００８８】
次に、本実施形態における選択信号について図１４を参照して説明する。図１４は画像命令と選択信号との関係を説明する説明図である。
【００８９】
まず、選択信号は、図１３における１駆動周期の期間ｔ１〜ｔ５のそれぞれの期間を個別に選択可能な信号を使用している。
【００９０】
そして、画像命令が「印字」のとき（液滴を吐出させるとき）には、選択信号は、期間ｔ１及び期間ｔ５をＯＮとする（選択する）ことで、滴量調整波形Ｐ１ａと吐出パルスＰ３をＯＮ（選択）とし、その他の期間はＯＦＦ（非選択）とする。
【００９１】
すなわち、圧力発生手段に共通駆動信号Ｖｃｏｍのうちの滴量調整波形Ｐ１ａと吐出パルスＰ３が与えられ、微駆動パルスＰ２は与えられない。
【００９２】
一方、画像命令が「非印字」のとき（液滴を吐出させないとき）には、選択信号は、期間ｔ３のみをＯＮとする（選択する）ことで、微駆動パルスＰ２をＯＮ（選択）とし、その他の期間はＯＦＦ（非選択）とする。
【００９３】
すなわち、圧力発生手段に共通駆動信号Ｖｃｏｍのうちの微駆動パルスＰ２のみが与えられ、滴量調整波形Ｐ１ａと吐出パルスＰ３はいずれも与えられない。
【００９４】
このように、吐出パルスＰ３を選択する周期では滴量調整波形Ｐ１ａが選択され、吐出パルスＰ３を選択しない周期では滴量調整波形Ｐ１ａが選択されない構成としている。
【００９５】
なお、ここでも、画像命令は、「印字」と「非印字」の２つしかないが、「印字」は大ドット、中ドット、小ドットというように複数種類とすることもできる。
【００９６】
次に、本実施形態の作用について図１５を参照して説明する。図１５は共通駆動信号Ｖｃｏｍを図１３に示す選択信号で選択した駆動信号の異なる例を示す説明図である。
【００９７】
本実施形態でも、図１４（ａ）は、周期Ｔ１〜Ｔ４において、画像命令が、「非印字」（周期Ｔ１）、「印字」（周期Ｔ２）、「非印字」（周期Ｔ３）、「非印字」（周期Ｔ４）の例であり、「印字」の周期Ｔ２に続く周期Ｔ３の画像命令が「非印字」の場合の例である。
【００９８】
このとき、周期Ｔ２に続く周期Ｔ３で滴量調整波形Ｐ１ａが選択されないので、周期Ｔ２の吐出パルスＰ３で吐出される液滴の液柱が引きちぎられない。したがって、周期Ｔ２に吐出パルスＰ３単独で吐出される液滴でドットが形成される。
【００９９】
一方、図１４（ｂ）は、周期Ｔ１〜Ｔ４において、画像命令がいずれも「印字」の例である。
【０１００】
このように、次の周期に「印字」が続く場合には、吐出パルスＰ３が印加された直後に滴量調整波形Ｐ１ａが印加されることになる。
【０１０１】
ここで、滴量調整波形Ｐ１ａは、吐出パルスＰ３によって吐出される液滴がまだノズルと液柱の状態で繋がっている状態のときに印加され、液柱の後半を個別液室内部に引き込むことで引きちぎり、滴量を小さく調整するパルスである。
【０１０２】
これにより、最大周波数駆動時の滴量が滴量調整波形Ｐ１ａによって減少し、駆動周波数によらず、低周波駆動時と高周波駆動時との滴量をほぼ一定とすることができる。
【０１０３】
この場合、前後の印字命令のパターンに基づいて信号を選択する制御も必要なく、選択信号の本数を増やす必要もないため、制御や構成の複雑化に伴うコストアップを招くこともない。
【０１０４】
上述したように、滴量調整波形Ｐ１ａは直前の周期の吐出パルスＰ３によって吐出される液滴がまだノズルと液柱の状態で繋がっている状態のときに印加することで、液柱を引きちぎることによって滴量を調整する。
【０１０５】
したがって、直前の周期の吐出パルスＰ３の終了時刻から滴量調整波形Ｐ１ａの開始時刻までのインターバル（時間差）はヘッドの固有振動周期（共振周期）Ｔｃ以内であることが好ましい。
【０１０６】
なお、本願において、「用紙」とは材質を紙に限定するものではなく、ＯＨＰ、布、ガラス、基板などを含み、インク滴、その他の液体などが付着可能なものの意味である。被記録媒体、記録媒体、記録紙、記録用紙などと称されるものを含む。また、画像形成、記録、印字、印写、印刷はいずれも同義語とする。
【０１０７】
また、「画像形成装置」は、紙、糸、繊維、布帛、皮革、金属、プラスチック、ガラス、木材、セラミックス等の媒体に液体を吐出して画像形成を行う装置を意味する。また、「画像形成」とは、文字や図形等の意味を持つ画像を媒体に対して付与することだけでなく、パターン等の意味を持たない画像を媒体に付与すること（単に液滴を媒体に着弾させること）をも意味する。
【０１０８】
また、「インク」とは、特に限定しない限り、インクと称されるものに限らず、記録液、定着処理液、液体などと称されるものなど、画像形成を行うことができるすべての液体の総称として用いる。例えば、ＤＮＡ試料、レジスト、パターン材料、樹脂なども含まれる。
【０１０９】
また、「画像」とは平面的なものに限らず、立体的に形成されたものに付与された画像、また立体自体を三次元的に造形して形成された像も含まれる。
【０１１０】
また、画像形成装置には、特に限定しない限り、シリアル型画像形成装置及びライン型画像形成装置のいずれも含まれる。
【符号の説明】
【０１１１】
３３  キャリッジ
３４、３４ａ、３４ｂ  記録ヘッド（液体吐出ヘッド）
５００  制御部
５０８  印刷制御部
７０１  駆動波形生成部
７０２  データ転送部
【図１】
0006432229.tif 000002
【図２】
0006432229.tif 000003
【図３】
0006432229.tif 000004
【図４】
0006432229.tif 000005
【図５】
0006432229.tif 000006
【図６】
0006432229.tif 000007
【図７】
0006432229.tif 000008
【図８】
0006432229.tif 000009
【図９】
0006432229.tif 000010
【図１０】
0006432229.tif 000011
【図１１】
0006432229.tif 000012
【図１２】
0006432229.tif 000013
【図１３】
0006432229.tif 000014
【図１４】
0006432229.tif 000015
【図１５】
0006432229.tif 000016